(57)【要約】      （修正有）【課題】終端電話装置に関連するサービスプロバイダの識別子を起点電話装置に提供する。【解決手段】１つの例の装置が、メッセージ、たとえばテキスト・メッセージ、ショート・メッセージ、および／またはページの終端電話装置に配送するために、受信者に関するサービスプロバイダを決定するため、受信側に関連するユーザ・アドレスの使用を介してメッセージの送信側にサービスプロバイダの識別子を提供するゲートウェイ構成要素が含まれる。【選択図】図１
2005168010.tif 000002
【特許請求の範囲】
【請求項１】
メッセージの受信側に関連するユーザ・アドレスの使用を介して前記メッセージの送信側にサービスプロバイダの識別子を供給するゲートウェイ構成要素を含む装置。
【請求項２】
前記サービスプロバイダが前記メッセージの前記受信側に関連し、テキスト配送ネットワークの表示が、前記テキスト配送ネットワークに関連するＵＲＬを含み、
前記ゲートウェイ構成要素が、前記受信側に関連する前記ユーザ・アドレスの使用を介して、前記メッセージの前記受信側に関連する前記サービスプロバイダの前記識別子を決定し、
前記ゲートウェイ構成要素が、前記サービスプロバイダに関連する前記テキスト配送ネットワークの前記表示を決定し、
前記ゲートウェイ構成要素が、前記テキスト配送ネットワークの前記表示を前記送信側に供給し、
前記ゲートウェイ構成要素が、前記送信側による前記メッセージの開始を可能にするために、前記ＵＲＬを前記送信側に供給することを特徴とする請求項１に記載の装置。
【請求項３】
前記テキスト配送ネットワークの前記表示が、前記テキスト配送ネットワークに関連する第１ウェブ・ポータルの表示を含み、
前記ゲートウェイ構成要素が、前記送信側と共に第２ウェブ・ポータルを確立し、
前記ウェブ・ポータルが、前記第２ウェブ・ポータルの使用を介する前記送信側による前記メッセージの開始を可能にし、
前記ゲートウェイ構成要素が、前記第２ウェブ・ポータルを前記第１ウェブ・ポータルにリダイレクトするために前記第１ウェブ・ポータルの前記表示を使用することを特徴とする請求項２に記載の装置。
【請求項４】
前記ゲートウェイ構成要素が、前記サービスプロバイダに関連するテキスト配送ネットワークの表示を決定し、前記テキスト配送ネットワークが、有線ネットワークを含み、有線プロトコルが、セッション開始プロトコル（ＳＩＰ）を含み、
前記ゲートウェイ構成要素が、前記メッセージに関して前記送信側にプロンプトを出し、
前記ゲートウェイ構成要素が、前記受信側に前記メッセージを配送するために前記テキスト配送ネットワークと通信し、
前記ゲートウェイ構成要素が、有線プロトコルの使用を介して前記テキスト配送ネットワークと通信し、
前記ゲートウェイ構成要素が、前記有線ネットワークで前記メッセージを配送するために前記ＳＩＰを使用することを特徴とする請求項１に記載の装置。
【請求項５】
前記ゲートウェイ構成要素が、前記テキスト配送ネットワークに電子メールおよび／またはショート・メッセージを送信することを特徴とする請求項４に記載の装置。
【請求項６】
前記ゲートウェイ構成要素が、前記サービスプロバイダに関連するテキスト配送ネットワークの表示を決定し、前記テキスト配送ネットワークが、セルラ・ネットワークを含み、セルラ・ネットワーキング・プロトコルが、ＡＮＳＩ−４１プロトコルおよび／またはＧＭＳ−ＭＡＰプロトコルを含み、
前記ゲートウェイ構成要素が、前記メッセージに関して前記送信側にプロンプトを出し、
前記ゲートウェイ構成要素が、前記受信側に前記メッセージを配送するために前記テキスト配送ネットワークと通信し、
前記ゲートウェイ構成要素が、前記セルラ・ネットワーキング・プロトコルの使用を介して前記テキスト配送ネットワークと通信し、
前記ゲートウェイ構成要素が、前記セルラ・ネットワークで前記メッセージを配送するために、前記ＡＮＳＩ−４１プロトコルおよび／またはＧＳＭ−ＭＡＰプロトコルを使用することを特徴とする請求項１に記載の装置。
【請求項７】
複数の識別子が、前記識別子を含み、複数のサービスプロバイダが、前記サービスプロバイダを含み、複数のユーザ・アドレスが、前記ユーザ・アドレスを含み、前記装置が、
データベース構成要素と、
サーバ構成要素とを含み、
前記データベース構成要素および前記サーバ構成要素が、前記メッセージの前記送信側への前記複数のサービスプロバイダに関連する前記複数の識別子の前記サービスプロバイダの前記識別子の供給のために協力し、
前記データベース構成要素が、前記複数のサービスプロバイダを複数のテキスト配送ネットワークに関連付け、
前記サーバ構成要素が、前記受信側に関連する前記ユーザ・アドレスを供給するために前記メッセージの前記送信側によって使用可能なインターネット・インターフェースを提供し、
前記サーバ構成要素が、前記ユーザ・アドレスに基づいて前記サービスプロバイダの前記識別子を入手するために前記データベース構成要素と通信することを特徴とする請求項１に記載の装置。
【請求項８】
前記ユーザ・アドレスが、ポートされたユーザ・アドレスを含み、前記ゲートウェイ構成要素が、前記ポートされたユーザ・アドレスに関連する場所ルーティング番号（ＬＲＮ）を入手し、
前記ゲートウェイ構成要素が、前記場所ルーティング番号の使用を介して前記メッセージの前記送信側に前記サービスプロバイダの前記識別子を供給することを特徴とする請求項１に記載の装置。
【請求項９】
メッセージの受信側に関連するユーザ・アドレスの使用を介して前記メッセージの送信側にサービスプロバイダの識別子を供給する工程を含む方法。
【請求項１０】
前記メッセージの前記受信側に関連する前記ユーザ・アドレスの使用を介して前記メッセージの前記送信側に前記サービスプロバイダの前記識別子を供給する前記工程が、
前記サービスプロバイダに関連するテキスト配送ネットワークを決定する工程と、
前記送信側による前記メッセージの開始を可能にするために、前記送信側に前記テキスト配送ネットワークの表示を供給する工程とを含むことを特徴とする請求項９に記載の方法。
【発明の詳細な説明】
【技術分野】
【０００１】
本発明は、全般的には遠隔通信に、具体的にはメッセージングに関する。
【背景技術】
【０００２】
メッセージ、たとえばテキスト・メッセージ、ショート・メッセージ、および／またはページの終端電話装置に配送するために、受信者に関連するサービスプロバイダを決定しなければならない。たとえば、メッセージの送信側は、開始サービスプロバイダ（ｉｎｉｔｉａｔｉｏｎ  ｓｅｒｖｉｃｅ  ｐｒｏｖｉｄｅｒ）を使用して、受信側へのメッセージを開始する。送信側によって使用される開始サービスプロバイダが、受信側に関連するサービスプロバイダでない場合に、開始サービスプロバイダは、受信側に関連するサービスプロバイダにメッセージを自動的に配送する。メッセージを配送するために、開始サービスプロバイダは、受信側に関連するサービスプロバイダを決定しなければならない。
【０００３】
たとえば、ＩｎｐｈｏＭａｔｃｈ（商標、以下同）（ＩｎｐｈｏＭａｔｃｈ  Ｉｎｃ．  ４５１１  Ｓｉｎｇｅｒ  Ｃｏｕｒｔ、Ｓｕｉｔｅ  ３００、Ｃｈａｎｔｉｌｌｙ、ＶＡ  ２０１５２、ｈｔｔｐ：／／ｗｗｗ．ｉｎｐｈｏｍａｔｃｈ．ｃｏｍ）に、電話番号および／またはＵＲＩ（Ｕｎｉｖｅｒｓａｌ  Ｒｅｓｏｕｒｃｅ  Ｉｎｄｉｃａｔｏｒ）などのサービスプロバイダおよび関連するユーザのアドレスのリストが含まれる。Ｉｎｐｈｏｍａｔｃｈは、メッセージのユーザ・アドレスを使用して、サービスプロバイダを決定する。Ｉｎｐｈｏｍａｔｃｈは、送信側からの対話なしで、サービスプロバイダにメッセージを配送する。開始サービスプロバイダが、メッセージを自動的に配送する場合に、送信側は、受信側に関連するサービスプロバイダによるメッセージの配送について使用可能であるサービス（たとえば、アニメーション、ピクチャ、および／または音声の挿入）との対話を制限される。１つの短所として、受信側に関連するサービスプロバイダによるメッセージの配送に関して使用可能なサービスとの対話の制限によって、メッセージの配送に関して送信側が使用可能なサービスが制限される。
【発明の開示】
【発明が解決しようとする課題】
【０００４】
したがって、終端電話装置に関連するサービスプロバイダの識別子を起点電話装置に提供する必要が存在する。
【課題を解決するための手段】
【０００５】
一実施形態で、本発明に装置が含まれる。この装置に、メッセージの受信側に関連するユーザ・アドレスの使用を介してメッセージの送信側にサービスプロバイダの識別子を供給するゲートウェイ構成要素が含まれる。
【０００６】
本発明のもう１つの実施形態に、方法が含まれる。サービスプロバイダの識別子が、メッセージの受信側に関連するユーザ・アドレスの使用を介してメッセージの送信側に供給される。
【０００７】
本発明のもう１つの実施形態に、物品が含まれる。この物品に、１つまたは複数のコンピュータ可読信号担持媒体が含まれる。この物品に、メッセージの受信側に関連するユーザ・アドレスの使用を介してメッセージの送信側にサービスプロバイダに関連する識別子を供給する、１つまたは複数の媒体内の手段が含まれる。
【０００８】
本発明の例示的実施形態の特徴は、説明、請求項、および添付図面から明らかになる。
【発明を実施するための最良の形態】
【０００９】
図１に移ると、１つの例の装置１００に、１つまたは複数のネットワーク１０５、１１０、および１１５、ならびに１つまたは複数の電話装置１２０および１２５が含まれる。１つの例で、ネットワーク１０５、１１０、および／または１１５に、１つまたは複数の無線ネットワークが含まれる。もう１つの例で、ネットワーク１０５、１１０、および／または１１５に、たとえば公衆交換電話ネットワーク（「ＰＳＴＮ」）などの１つまたは複数の有線ネットワークが含まれる。もう１つの例で、ネットワーク１０５、１１０、および／または１１５に、１つまたは複数の無線ネットワークおよび１つまたは複数の有線ネットワークが含まれる。電話装置１２０および／または１２５に、１つの例で、１つまたは複数のＳＩＰ（Ｓｅｓｓｉｏｎ  Ｉｎｉｔｉａｔｉｏｎ  Ｐｒｏｔｏｃｏｌ）対応の装置、コンピュータ、有線電話機（ｌａｎｄｌｉｎｅ  ｔｅｌｅｐｈｏｎｅ）、および／または無線装置が含まれる。
【００１０】
ネットワーク１０５は、１つの例で、ネットワーク１１０および１１５を通信的に結合する。もう１つの例で、ネットワーク１０５は、電話装置１２０および１２５を通信的に結合する。もう１つの例で、ネットワーク１０５は、電話装置１２０とネットワーク１１０を通信的に結合する。もう１つの例で、ネットワーク１０５は、電話装置１２５とネットワーク１１５を通信的に結合する。
【００１１】
１つまたは複数のサービスプロバイダが、ネットワーク１１０および／または１１５を所有し、かつ／または運営する。ネットワーク１１０および／または１１５は、電話装置１２０および／または１２５に１つまたは複数のサービスを提供する。１つの例で、ネットワーク１１０および／または１１５に、１つまたは複数のサーバ構成要素１４５、１５０、１６０、および１６５、１つまたは複数のゲートウェイ構成要素１５５、ならびに１つまたは複数のメッセージ・サービス構成要素１７０が含まれる。１つの例で、サーバ構成要素１４５、１５０、１６０、および／または１６５に、１つまたは複数の電子メールサーバおよび／またはウェブサーバが含まれる。１つの例で、電子メールサーバが、電子メールメッセージを終端する。もう１つの例で、電子メールサーバが、電子メールメッセージを転送する。１つの例のウェブサーバは、インターネットへのアクセスを提供する。
【００１２】
１つの例で、ゲートウェイ構成要素１５５に、データベースが含まれる。１つの例で、ゲートウェイ構成要素１５５に、サーバ構成要素１４５が含まれる。もう１つの例で、ゲートウェイ構成要素１５５に、サーバ構成要素１５０が含まれる。もう１つの例で、ゲートウェイ構成要素１５５に、サーバ構成要素１４５および１５０が含まれる。
【００１３】
１つの例で、メッセージ・サービス・センタ１７０に、ショート・メッセージ・サービス・センター（Ｓｈｏｒｔ  Ｍｅｓｓａｇｅ  Ｓｅｒｖｉｃｅ  Ｃｅｎｔｅｒ：ＳＭＳＣ）が含まれる。１つの例で、メッセージ・サービス・センタ１７０が、メッセージの蓄積交換を行うように働く。１つの例で、メッセージ・サービス・センタ１７０が、ネットワーク１０５、１１０および／または１１５によるメッセージの配送を保証する。
【００１４】
１つの例で、電話装置１２０および／または１２５が、１つまたは複数の呼コントローラ１３０および１３５を使用して、他の電話装置１２０および／または１２５の１つへのネットワーク１０５、１１０および／または１１５での１つまたは複数のメッセージを開始する。１つの例で、呼コントローラ１３０および／または１３５が、電話装置１２０および／または１２５の呼ロジックおよび／または呼シグナリングを提供する。もう１つの例で、呼コントローラ１３０および／または１３５が、呼ロジック、呼シグナリング、および呼交換を提供する。
【００１５】
ゲートウェイ構成要素１５５は、メッセージの開始を可能にするために、メッセージの送信側が使用可能なインターネット・インターフェースを提供する。１つの例で、メッセージの送信側に、起点電話装置のユーザ、たとえば電話装置１２０のユーザが含まれる。１つの例で、電話装置１２０のユーザは、インターネット・インターフェースを使用して、受信側へのメッセージを開始する。１つの例で、受信側に、終端電話装置のユーザ、たとえば電話装置１２５のユーザが含まれる。たとえば、インターネット・インターフェースに、ウェブ・ポータルが含まれる。ゲートウェイ構成要素１５５およびウェブサーバ、たとえばサーバ構成要素１５０は、インターネット・プロトコル、たとえばハイパーテキスト転送プロトコル（Ｈｙｐｅｒ  Ｔｅｘｔ  Ｔｒａｎｓｆｅｒ  Ｐｒｏｔｏｃｏｌ：ＨＴＴＰ）を使用して、起点電話装置、たとえば電話装置１２０とのウェブ・ポータルを確立する。１つの例で、ゲートウェイ構成要素１５５は、インターネット・インターフェースを使用して、起点電話装置、たとえば電話装置１２０からユーザ・アドレスを受け取る。１つの例で、ユーザ・アドレスに、電子メール・アドレスおよび／またはＵＲＬ（Ｕｎｉｖｅｒｓａｌ  Ｒｅｓｏｕｒｃｅ  Ｌｏｃａｔｏｒ）などのディレクトリ番号および／またはＵＲＩ（Ｕｎｉｖｅｒｓａｌ  Ｒｅｓｏｕｒｃｅ  Ｉｎｄｉｃａｔｏｒ）が含まれる。
【００１６】
１つの例で、ゲートウェイ構成要素１５５に、データベース構成要素およびサーバ、たとえばサーバ構成要素１５０が含まれる。サーバ構成要素１５０は、メッセージの受信側に関連するユーザ・アドレスを提供するのにメッセージの送信側が使用可能であるインターネット・インターフェースを提供する。サーバ構成要素１５０は、１つまたは複数のデータベース・インターフェースの使用を介してデータベースと通信して、ユーザ・アドレスに関連するサービスプロバイダの識別子を得る。１つの例で、データベース・インターフェースに、アドバンスト・インテリジェント・ネットワーク（Ａｄｖａｎｃｅｄ  Ｉｎｔｅｌｌｉｇｅｎｔ  Ｎｅｔｗｏｒｋ：ＡＩＮ）、無線インテリジェントネットワーク（Ｗｉｒｅｌｅｓｓ  Ｉｎｔｅｌｌｉｇｅｎｔ  Ｎｅｔｗｏｒｋ：ＷＩＮ）、ＩＳ−４１（Ｉｎｔｅｒｉｍ  Ｓｔａｎｄａｒｄ−４１）、またはＣＡＭＥＬ（Ｃｕｓｔｏｍｉｚｅｄ  Ａｐｐｌｉｃａｔｉｏｎ  ｏｆ  Ｍｏｂｉｌｅ  Ｅｎｈａｎｃｅｄ  Ｌｏｇｉｃ）などの１つまたは複数の産業標準アーキテクチャが含まれる。
【００１７】
ゲートウェイ構成要素１５５は、電話装置１２０のユーザがユーザ・アドレスを入力するのに使用可能であるインターネット・インターフェースを提供する。１つの例で、ユーザ・アドレスは、メッセージの受信側、たとえば終端電話装置（たとえば電話装置１２５）のユーザに関連する。１つの例で、ゲートウェイ構成要素１５５は、ユーザ・アドレスを使用して、終端電話装置、たとえば電話装置１２０に関連するサービスプロバイダを決定する。
【００１８】
ユーザ・アドレスに、ポートされたユーザ・アドレスが含まれる場合に、ゲートウェイ構成要素１５５は、ポートされたユーザ・アドレスに関連する場所ルーティング番号（Ｌｏｃａｔｉｏｎ  Ｒｏｕｔｉｎｇ  Ｎｕｍｂｅｒ：ＬＲＮ）を得る。１つの例で、ゲートウェイ構成要素１５５は、番号ポータビリティ・データベースと通信して、ＬＲＮを得る。ゲートウェイ構成要素１５５は、ＬＲＮを使用して、終端電話装置に関連するサービスプロバイダを決定する。
【００１９】
ゲートウェイ構成要素１５５は、メッセージの送信側、たとえば電話装置１２０のユーザに、サービスプロバイダの識別子を供給する。１つの例で、サービスプロバイダは、メッセージの受信側、たとえば電話装置１２０のユーザに関連する。１つの例で、識別子に、終端電話装置、たとえば電話装置１２０に関連するサービスプロバイダの、ロゴ、ウェブ・ページ、および／またはテキスト記述が含まれる。ゲートウェイ構成要素１５５は、インターネット・インターフェースの使用を介してメッセージの送信側にサービスプロバイダの識別子を供給する。
【００２０】
たとえば、メッセージの送信側は、ゲートウェイ構成要素１５５によって提供されるウェブ・ポータルと対話して、ユーザ・アドレスに関連するサービスプロバイダの識別子を得る。メッセージの送信側は、ユーザ・アドレス、たとえばｍｙｆｒｉｅｎｄ＠ａｔｔ．ｃｏｍをウェブ・ポータルに入力する。メッセージの送信側は、ウェブ・ポータルのボタン、たとえば「サービスプロバイダ検索」ボタンをクリックする。ゲートウェイ構成要素１５５は、インターネット・インターフェースの使用を介してユーザ・アドレスを受け取り、ユーザ・アドレスに関連するサービスプロバイダを決定する。ゲートウェイ構成要素１５５は、インターネット・インターフェースの使用を介して送信側にサービスプロバイダの識別子を供給する。たとえば、消費者グループがウェブ・ポータルと対話してユーザ・アドレスに関連する識別子を得る場合に、消費者グループは、その識別子を使用して、ユーザ・アドレスに関連するユーザに、ターゲッティングされたマーケティングを提供する。
【００２１】
１つの例で、ゲートウェイ構成要素１５５に、複数のサービスプロバイダに関連する複数のユーザ・アドレスが含まれる。１つの例で、ゲートウェイ構成要素１５５は、データ・ソースから複数のユーザ・アドレスおよび複数のサービスプロバイダを得る。たとえば、ゲートウェイ構成要素１５５は、Ｔｅｌｃｏｒｄｉａ（商標、以下同）（Ｔｅｌｃｏｒｄｉａ  Ｔｅｃｈｎｏｌｏｇｉｅｓ、Ｉｎｃ．  Ｏｎｅ  Ｔｅｌｃｏｒｄｉａ  Ｄｒｉｖｅ、Ｐｉｓｃａｔａｗａｙ、ＮＪ、０８８５４、ｈｔｔｐ：／／ｗｗｗ．ｔｅｌｃｏｒｄｉａ．ｃｏｍ）によって維持されるローカル交換ルーティングガイド（Ｌｏｃａｌ  Ｅｘｃｈａｎｇｅ  Ｒｏｕｔｉｎｇ  Ｇｕｉｄｅ：ＬＥＲＧ）などの産業標準データ・ソースから、複数のユーザ・アドレスおよび複数のサービスプロバイダを得る。１つの例で、ゲートウェイ構成要素１５５は、ユーザ・アドレスの１つまたは複数の部分の使用を介してサービスプロバイダを決定する。たとえば、複数のサービスプロバイダのそれぞれに、めいめいのユーザ・アドレスのブロックが含まれる場合に、ゲートウェイ構成要素１５５は、当業者が理解するように、交換局など、ユーザ・アドレスの第１部分を使用して、サービスプロバイダを決定する。
【００２２】
１つの例で、ゲートウェイ構成要素１５５に、複数のサービスプロバイダに関連する複数のテキスト配送ネットワークの複数の表示が含まれる。１つの例で、サービスプロバイダに関連するテキスト配送ネットワークに、受信側へのメッセージの配送のためのネットワークが含まれる。１つの例で、テキスト配送ネットワークに、ネットワーク１１５が含まれる。１つの例で、ゲートウェイ構成要素１５５は、メッセージをテキスト配送ネットワークにルーティングして、メッセージの受信側、たとえば電話装置１２５のユーザにメッセージを配送する。ゲートウェイ構成要素１５５は、メッセージの送信側、たとえば電話装置１２０のユーザに、テキスト配送ネットワークの表示を供給する。
【００２３】
１つの例で、テキスト配送ネットワークの表示に、電子メール・アドレスおよび／またはＵＲＬ（Ｕｎｉｖｅｒｓａｌ  Ｒｅｓｏｕｒｃｅ  Ｌｏｃａｔｏｒ）などのＵＲＩ（Ｕｎｉｖｅｒｓａｌ  Ｒｅｓｏｕｒｃｅ  Ｉｎｄｉｃａｔｏｒ）が含まれる。１つの例で、この表示は、テキスト配送ネットワークに関連するサービスプロバイダ、たとえばネットワーク１１５に関連するサービスプロバイダのウェブ・ポータルに関連する。たとえば、ゲートウェイ構成要素１５５は、インターネット・インターフェースを介してメッセージの送信側（たとえば、電話装置１２０のユーザ）にＵＲＬを供給する。ゲートウェイ構成要素１５５は、メッセージの送信側のＵＲＬを供給して、送信側によるメッセージの開始を可能にする。
【００２４】
もう１つの例で、テキスト配送ネットワークの表示に、ウェブ・ポータルが含まれる。１つの例で、ゲートウェイ構成要素１５５は、メッセージの送信側（たとえば電話装置１２０のユーザ）をウェブ・ポータルにリダイレクトする。ゲートウェイ構成要素１５５は、送信側をウェブ・ポータルにリダイレクトして、ウェブ・ポータルからのメッセージの開始を可能にする。１つの例で、電話装置１２０のユーザは、ウェブ・ポータルの使用を介して、メッセージに関連するテキストを入力する。電話装置１２０のユーザは、ウェブ・ポータルからメッセージを開始することを選択する。
【００２５】
もう１つの例で、ゲートウェイ構成要素１５５は、メッセージに関連するテキストについて電話装置１２０のユーザにプロンプトを出す。次に、ゲートウェイ構成要素１５５は、テキスト配送ネットワークと通信して、受信側にメッセージを配送する。１つの例で、ゲートウェイ構成要素１５５は、メッセージに関連するテキストを、テキスト配送ネットワークに関連するウェブ・ポータルに供給する。１つの例で、ゲートウェイ構成要素１５５および電子メールサーバ、たとえばサーバ１４５が、協力してテキスト配送ネットワークに電子メールを送る。１つの例で、電子メールに、メッセージに関連するテキストが含まれる。もう１つの例で、ゲートウェイ構成要素１５５および電子メールサーバ、たとえばサーバ１４５が、協力してテキスト配送ネットワークにショート・メッセージを送る。
【００２６】
１つの例で、テキスト配送ネットワークに、セルラ・ネットワークが含まれる。ゲートウェイ構成要素１５５は、ＡＮＳＩ−４１（米国規格協会−４１（Ａｍｅｒｉｃａｎ  Ｎａｔｉｏｎａｌ  Ｓｔａｎｄａｒｄｓ  Ｉｎｓｔｉｔｕｔｅ−４１））プロトコル、ＧＳＭ−ＭＡＰ（Ｇｌｏｂａｌ  Ｓｙｓｔｅｍ  ｆｏｒ  Ｍｏｂｉｌｅ  Ｃｏｍｍｕｎｉｃａｔｉｏｎｓ−Ｍｏｂｉｌｅ  Ａｐｐｌｉｃａｔｉｏｎ  Ｐａｒｔ）プロトコル、およびＳＩＰ（Ｓｅｓｓｉｏｎ  Ｉｎｉｔｉａｔｉｏｎ  Ｐｒｏｔｏｃｏｌ）などの１つまたは複数のセルラ・ネットワーク・プロトコルを使用して、メッセージのテキストをテキスト配送ネットワークに通信する。セルラ・ネットワーク、たとえばネットワーク１１５の受信側にメッセージを配送するために、ゲートウェイ構成要素１５５は、セルラ・ネットワーク・インターフェースを提供する。ゲートウェイ構成要素１５５は、セルラ・ネットワーク・インターフェースを使用して、終端電話装置、たとえば電話装置１２５に関連するテキスト配送ネットワークにメッセージを配送する。たとえば、ゲートウェイ構成要素１５５は、セルラ・ネットワーク・インターフェースを使用して、メッセージ・サービス・センタ１７０と通信する。
【００２７】
もう１つの例で、テキスト配送ネットワークに、有線ネットワークが含まれる。ゲートウェイ構成要素１５５は、セッション開始プロトコル（Ｓｅｓｓｉｏｎ  Ｉｎｉｔｉａｔｉｏｎ  Ｐｒｏｔｏｃｏｌ：ＳＩＰ）などの有線プロトコルを使用して、メッセージのテキストをテキスト配送ネットワークに通信する。有線ネットワーク、たとえばネットワーク１１５の受信側にメッセージを配送するために、ゲートウェイ構成要素１５５は、有線インターフェースを提供する。ゲートウェイ構成要素１５５は、有線インターフェースを使用して、終端電話装置、たとえば電話装置１２５に関連するテキスト配送ネットワークにメッセージを配送する。たとえば、ゲートウェイ構成要素１５５は、有線インターフェースを使用して、メッセージ・サービス・センタ１７０と通信する。
【００２８】
装置１００の例示的動作の例示的説明は、説明のために提示されたものである。
【００２９】
図２に移ると、メッセージの送信側が、受信側へのメッセージを開始する。ステップ２０５で、電話装置１２０のユーザが、ネットワーク１１０のサービスプロバイダに関連するウェブサーバ、たとえばサーバ構成要素１５０のウェブ・ポータルにアクセスする。電話装置１２０のユーザは、メッセージの受信側に関連するユーザ・アドレスおよびメッセージに関連するテキストを入力する。電話装置１２０のユーザは、ウェブ・ポータルからメッセージを開始することを選択する。
【００３０】
ステップ２１０で、サーバ構成要素１５０は、ユーザ・アドレスが、ネットワーク１１０のサービスプロバイダに関連しないと決定する。サーバ構成要素１５０は、ゲートウェイ構成要素１５５と通信して、受信側サービスプロバイダ、たとえばネットワーク１１５に関連するサービスプロバイダを得る。ステップ２１５で、ゲートウェイ構成要素１５５は、受信側サービスプロバイダを決定する。ゲートウェイ構成要素１５５は、受信側サービスプロバイダに関連するテキスト配送ネットワーク、たとえばネットワーク１１５を決定する。ゲートウェイ構成要素１５５は、テキスト配送ネットワークに関連するインジケータをウェブサーバ（たとえばサーバ構成要素１５０）に供給する。ゲートウェイ構成要素１５５は、受信側サービスプロバイダに関連する識別子を、サーバ構成要素１５０に供給する。ステップ２１７で、サーバ構成要素１５０が、識別子、たとえば受信側サービスプロバイダに関連するロゴを電話装置１２０のユーザに供給する。サーバ構成要素１５０は、ウェブ・ポータルの使用を介して、その識別子を電話装置１２０のユーザに供給する。
【００３１】
ステップ２２０で、ウェブサーバ、たとえばサーバ構成要素１５０が、テキスト配送ネットワークのインジケータを使用して、電話装置１２０のユーザを、受信側サービスプロバイダのウェブ・ポータルにリダイレクトする。たとえば、サーバ構成要素１５０は、受信側ウェブサーバ、たとえばネットワーク１１５に関連するサーバ構成要素１６５との通信を確立する。ステップ２２５で、サーバ構成要素１５０および１６５が、インターネット・インターフェースを介して電話装置１２０のユーザに受信側サービスプロバイダのウェブ・ポータルを供給する。電話装置１２５のユーザは、テキスト・メッセージを見、受信側サービスプロバイダのウェブ・ポータルからメッセージを開始することを選択する。
【００３２】
ステップ２３０で、サーバ構成要素１６５が、送信側からメッセージを受信する。サーバ構成要素１６５は、メッセージをメッセージ・サービス・センタ１７０にルーティングして、受信側、たとえば電話装置１２５のユーザにメッセージを配送する。ステップ２３５で、メッセージ・サービス・センタ１７０が、そのメッセージを電話装置１２５にルーティングする。
【００３３】
図３に移ると、電話装置１２０のユーザが、電話装置１２５のユーザへのメッセージを開始する。ステップ３０５で、電話装置１２０のユーザが、ネットワーク１１０に関連するサービスプロバイダを使用して、電子メールメッセージを開始する。電話装置１２０のユーザは、電子メールメッセージをユーザ・アドレスに送信する。ネットワーク１１０に関連する電子メールサーバ、たとえばサーバ構成要素１４５が、その電子メールを受信する。ステップ３１０で、サーバ構成要素１４５が、ユーザ・アドレスがネットワーク１１０のサービスプロバイダに関連しないと決定する。サーバ構成要素１４５は、ゲートウェイ構成要素１５５と通信して、受信側サービスプロバイダ、たとえばユーザ・アドレスに関連するサービスプロバイダを得る。
【００３４】
ゲートウェイ構成要素１５５は、ユーザ・アドレスに関連する受信側サービスプロバイダを決定する。ゲートウェイ構成要素１５５は、受信側サービスプロバイダに関連するテキスト配送ネットワーク、たとえばネットワーク１１５を決定する。ステップ３１５で、ゲートウェイ構成要素１５５は、受信側サービスプロバイダに関連するテキスト配送ネットワークの表示をサーバ構成要素１４５に供給する。ゲートウェイ構成要素１５５は、受信側サービスプロバイダに関連する識別子をサーバ構成要素１５０に供給する。ステップ３１７で、サーバ構成要素１４５は、受信側サービスプロバイダに関連する識別子、たとえばロゴを、電話装置１２０のユーザに供給する。サーバ構成要素１４５は、電子メール内で、その識別子を電話装置１２０のユーザに供給する。ステップ３２０で、サーバ構成要素１４５が、テキスト配送ネットワーク、たとえばネットワーク１１５の表示を使用して、電子メールメッセージを受信側電子メールサーバ、たとえばサーバ構成要素１６０にリダイレクトする。ステップ３２５で、サーバ構成要素１６０が、電子メールメッセージをメッセージ・サービス・センタ１７０にルーティングして、電子メールメッセージを配送する。ステップ３３０で、メッセージ・サービス・センタ１７０が、メッセージを電話装置１２５にルーティングする。
【００３５】
図４に移ると、電話装置１２０のユーザが、電話装置１２５のユーザへのメッセージを開始する。ステップ４０５で、電話装置１２０のユーザおよびウェブサーバ、たとえばサーバ構成要素１５０が、インターネット・インターフェースの使用を介してウェブ・ポータルを確立する。ステップ４１０で、電話装置１２０のユーザは、ネットワーク１１０のサービスプロバイダに関連するウェブ・ポータルを見る。電話装置１２０のユーザは、電話装置１２５のユーザのユーザ・アドレスを入力する。ステップ４１５で、１つの例で、電話装置１２０のユーザが、ユーザ・アドレスに関連する受信側サービスプロバイダの検索を開始することを選択する。たとえば、電話装置１２０のユーザは、ウェブ・ポータルの「サービスプロバイダ検索」ボタンをクリックする。
【００３６】
ステップ４２０で、サーバ構成要素１５０が、ゲートウェイ構成要素１５５と通信して、ユーザ・アドレスに関連する受信側サービスプロバイダを決定する。ステップ４２５で、ゲートウェイ構成要素１５５が、受信側サービスプロバイダに関連するテキスト配送ネットワークを決定する。ゲートウェイ構成要素１５５は、テキスト配送ネットワークのインジケータをサーバ構成要素１５０に供給する。ゲートウェイ構成要素１５５は、受信側サービスプロバイダに関連する識別子をサーバ構成要素１５０に供給する。ステップ４２７で、サーバ構成要素１５０が、ウェブ・ポータルの使用を介して電話装置１２０のユーザに受信側サービスプロバイダの識別子、たとえばロゴを供給する。ステップ４３０で、サーバ構成要素１５０が、テキスト配送ネットワークのインジケータを使用して、受信側ネットワークであるネットワーク１１５のサーバ構成要素１６５との通信を確立する。
【００３７】
ステップ４３５で、サーバ構成要素１５０および１６５が、協力して、受信側サービスプロバイダに関連するウェブ・ポータルを電話装置１２０のユーザに提供する。電話装置１２０のユーザは、受信側サービスプロバイダに関連するウェブ・ポータルを見る。ステップ４４０で、電話装置１２０のユーザが、メッセージに関連するテキストを入力し、受信側サービスプロバイダのウェブ・ポータルからメッセージを開始することを選択する。
【００３８】
ステップ４４５で、サーバ構成要素１６５が、メッセージをメッセージ・サービス・センタ１７０にルーティングして、受信側、たとえば電話装置１２５のユーザにメッセージを配送する。ステップ４５０で、メッセージ・サービス・センタ１７０が、メッセージを電話装置１２５にルーティングする。
【００３９】
１つの例で、装置１００に、コンピュータ・ソフトウェア構成要素および／またはハードウェア構成要素などの複数の構成要素が含まれる。複数のそのような構成要素を、装置１００内で組み合わせるか分割することができる。装置１００の例示的構成要素は、当業者が諒解するように、任意の数のプログラミング言語で記述されるかそれによって実施される１組のおよび／または一連のコンピュータ命令を使用し、かつ／または含む。
【００４０】
装置１００は、少なくとも１つのコンピュータ可読信号担持媒体を使用する。装置１００のコンピュータ可読信号担持媒体の１つの例に、磁気、電気、光、生物学、および原子によるデータ記憶媒体の１つまたは複数などの記録可能データ記憶媒体のインスタンスが含まれる。１つの例での記録可能データ記憶媒体に、記憶装置１０１が含まれる。もう１つの例で、装置１００のコンピュータ可読信号担持媒体に、装置１００を含むかこれに結合されたネットワーク、たとえば電話ネットワーク、ローカル・エリア・ネットワーク（ＬＡＮ）、インターネット、および無線ネットワークの１つまたは複数を介して送信される変調された搬送波信号が含まれる。装置１００の例示的構成要素は、当業者が諒解するように、任意の数のプログラミング言語で記述されるかそれによって実施される１組および／または一連のコンピュータ命令を使用し、かつ／または含む。
【００４１】
本明細書に記載されたステップまたは動作は、例示にすぎない。本発明の趣旨から逸脱しない、これらのステップまたは動作に対する多数の変形形態が存在し得る。たとえば、ステップを、異なる順序で実行することができ、ステップを、追加し、削除し、または修正することができる。
【００４２】
本発明の例示的実施形態を、図示し、本明細書で詳細に説明したが、本発明の趣旨から逸脱せずに、様々な修正、追加、置換などを行うことができ、したがって、これらが、請求項で定義される本発明の範囲に含まれると考えられることは、当業者に明白である。
【図面の簡単な説明】
【００４３】
【図１】１つまたは複数のネットワーク、１つまたは複数の電話装置、１つまたは複数のサーバ構成要素、１つまたは複数の呼コントローラ、１つまたは複数のゲートウェイ構成要素、および１つまたは複数のメッセージ・サービス・センタを含む装置の１つの例示的実施形態を表す図である。
【図２】図１の装置の１つまたは複数の電話装置のうちの第１電話装置に関連するウェブ・ポータルから開始される第２電話装置へのメッセージの第１の例示的な処理フローを表す図である。
【図３】図１の装置の１つまたは複数の電話装置のうちの第１電話装置から第２電話装置への電子メールメッセージの第２の例示的な処理フローを表す図である。
【図４】図１の装置の１つまたは複数の電話装置のうちの第１電話装置に関連するウェブ・ポータルから開始される第２電話装置へのメッセージの第３の例示的な処理フローを表す図である。
【図１】
2005168010.tif 000003
【図２】
2005168010.tif 000004
【図３】
2005168010.tif 000005
【図４】
2005168010.tif 000006